(57)【要約】      （修正有）【課題】寄付を募る際に、それを支援する寄付支援システムを提供する。【解決手段】オークション情報の登録を出品者端末から受け付けるオークション登録受付部と、オークションに対して入札の情報を受け付けることでオークション処理を実行するオークション処理部と、オークションで落札者がいる場合に、入札の情報に基づいてオークションに対する落札金額および落札者となるユーザを決定し、落札金額と落札金額に対する寄付金額の配分情報とに基づいて、出品者、落札者であるユーザのそれぞれの寄付金額を算出し、通知する落札処理部とを有しており、オークション処理部におけるオークションの終了後であって、オークションの落札者であるユーザ端末からの決済処理の終了後、オークション情報における寄付先の情報に基づいて、オークションにおける落札金額に基づく出品者および落札者のそれぞれの寄付金額の支払い処理を実行する。【選択図】図１
2012238052.tif 000002
【特許請求の範囲】
【請求項１】
寄付活動を支援する寄付支援システムであって、
前記オークションに出品する物品の情報とその寄付先の情報と落札金額に対する寄付金額の配分情報とを少なくとも含むオークション情報を記憶するオークション情報記憶部と、
前記オークション情報の登録を、出品者端末から受け付けるオークション登録受付部と、
前記オークション情報記憶部に記憶するオークション情報に基づくオークションに対して、ユーザ端末から入札の情報を受け付けることでオークション処理を実行するオークション処理部と、
前記オークションにおける出品者の寄付金額と、落札者であるユーザの寄付金額と、一以上の前記寄付先の情報とを少なくとも含む情報を落札情報として記憶する落札情報記憶部と、
前記オークション処理部における前記オークションで落札者がいる場合に、前記入札情報に基づいて、前記オークション対する落札金額および落札者となるユーザを決定し、前記オークション情報における落札金額の配分情報に基づいて、前記出品者、落札者であるユーザのそれぞれの寄付金額を算出し、前記出品者の識別情報、前記落札者であるユーザの識別情報、前記出品者の寄付金額、前記落札者であるユーザの寄付金額および前記寄付先の情報とを少なくとも落札情報として、前記落札情報記憶部に記憶させる落札処理部と、
前記落札情報の一部または全部を記憶する寄付情報記憶部と、
一以上の寄付先となる寄付受領者による前記寄付金の使途の情報と、前記出品者の識別情報および／または落札者の識別情報とを対応づけて記憶する寄付受領者情報記憶部と、
寄付受領者端末から前記寄付金の使途の情報の入力を受け付け、前記寄付受領者情報記憶部に記憶させる使途報告受付部と、
前記出品者端末または前記ユーザ端末から、前記出品者識別情報および／または落札者識別情報と、使途報告の閲覧要求とを受け付け、前記出品者識別情報または落札者情報に基づいて、前記寄付受領者情報記憶部に記憶する使途情報を検索することで、前記出品者端末またはユーザ端末に対して、前記検索した使途情報を表示させる寄付受領者情報閲覧部と、
を有することを特徴とする寄付支援システム。
【請求項２】
前記落札処理部は、
前記出品者の出品者識別情報および／または落札者の落札者識別情報に基づく追跡情報を生成し、
前記生成した追跡情報を前記落札情報に含めて前記落札情報記憶部に記憶させ、
前記寄付受領者情報閲覧部は、
前記出品者端末または前記ユーザ端末から、前記出品者識別情報および／または落札者識別情報の入力を受け付け、
前記出品者識別情報または落札者識別情報に基づいて、前記寄付受領者情報記憶部に記憶する使途情報を検索し、
前記検索した使途情報を、前記出品者端末または前記ユーザ端末に表示させる、
ことを特徴とする請求項１に記載の寄付支援システム。
【請求項３】
前記オークション登録受付部は、
前記オークション情報として、さらに、前記落札金額に基づいて付与するポイントの配分情報を前記出品者端末から入力を受け付け、
前記落札情報記憶部は、
前記オークションに基づく落札金額と前記オークション情報におけるポイントの配分情報とに基づいて、前記出品者に対して付与するポイントと、前記落札者であるユーザに対して付与するポイントを算出し、
前記出品者識別情報、落札者識別情報に、前記算出したポイントを付加することで前記出品者追跡情報、落札者追跡情報を生成する、
ことを特徴とする請求項２に記載に寄付支援システム。
【請求項４】
前記寄付支援システムは、
前記オークション処理部におけるオークションの終了後であって、前記オークションの落札者であるユーザ端末からの決済処理の終了後、前記オークション情報における寄付先の情報に基づいて、前記オークションにおける落札金額に基づく前記出品者および落札者のそれぞれの寄付金額の支払い処理を実行し、
前記支払い処理の実行後、前記出品者端末に対して、前記出品者の寄付金額相当の電子的な領収書を発行して通知し、前記落札者であるユーザのユーザ端末に対して、前記落札者の寄付金額相当の電子的な領収証を発行して通知する、
ことを特徴とする請求項１から請求項３のいずれかに記載の寄付支援システム。
【請求項５】
オークションを用いた寄付支援システムであって、
前記寄付支援システムは、
前記オークションに出品する物品の情報とその寄付先の情報と落札金額に対する寄付金額の配分情報とを少なくとも含むオークション情報を記憶するオークション情報記憶部と、
前記オークション情報の登録を、出品者端末から受け付けるオークション登録受付部と、
前記オークション情報記憶部に記憶するオークション情報に基づくオークションに対して、ユーザ端末から入札の情報を受け付けることでオークション処理を実行するオークション処理部と、
前記オークション処理部における前記オークションで落札者がいる場合に、前記入札の情報に基づいて、前記オークションに対する落札金額および落札者となるユーザを決定し、前記落札金額と前記落札金額に対する寄付金額の配分情報とに基づいて、前記出品者、落札者であるユーザのそれぞれの寄付金額を算出し、前記出品者端末、前記落札者のユーザ端末に対して通知する落札処理部と、を有しており、
前記オークション処理部におけるオークションの終了後であって、前記オークションの落札者であるユーザ端末からの決済処理の終了後、前記オークション情報における寄付先の情報に基づいて、前記オークションにおける落札金額に基づく前記出品者および落札者のそれぞれの寄付金額の支払い処理を実行する、
ことを特徴とする寄付支援システム。
【請求項６】
前記寄付支援システムは、さらに、
前記支払い処理の実行後、前記出品者端末に対して、前記出品者の寄付金額相当の電子的な領収書を発行して通知し、前記落札者であるユーザのユーザ端末に対して、前記落札者の寄付金額相当の電子的な領収証を発行して通知する、
ことを特徴とする請求項５に記載の寄付支援システム。
【請求項７】
寄付金の使途を明確にする寄付支援システムであって、
前記寄付支援システムは、
寄付金を誰が出資したかの追跡情報を含む寄付情報を記憶する寄付情報記憶部と、
寄付金を受領した寄付受領者による前記寄付金の使途の情報と前記追跡情報とを対応づけて記憶する寄付受領者情報記憶部と、
寄付受領者端末から前記寄付金に対する使途情報の入力を受け付け、前記寄付受領者情報記憶部に記憶させる使途報告受付部と、
前記寄付金の出資者が操作するコンピュータ端末から使途報告の閲覧要求を受け付け、前記寄付情報記憶部に記憶する出資者の情報に基づいて、前記寄付受領者情報記憶部に記憶する使途情報を検索し、前記コンピュータ端末に対して、前記検索した使途情報を表示させる寄付受領者情報閲覧部と、
を有することを特徴とする寄付支援システム。
【発明の詳細な説明】
【技術分野】
【０００１】
本発明は、寄付を募る際に、出来る限り多額の寄付を集め、また寄付をした者がその寄付金がどのように利用されたかの使途を容易に確認可能とすることで、寄付に対する信頼を向上させる寄付支援システムに関する。
【背景技術】
【０００２】
さまざまな企業や団体が何らかの事由、たとえば大規模災害の発生などによって、寄付を募ることがある。あるいは、恒常的に公益団体、ボランティア団体などはその活動資金などのために寄付を募っている。
【０００３】
寄付は人や企業などの善意によるものである。しかし寄付金を受領した団体などがどのように寄付金を使用したかが必ずしも明らかになっているとは言えない場合もあり、透明性に欠ける場合もある。この場合、寄付をした者の不満に繋がりやすく、寄付に対する心理的抵抗を助長することになりかねない。
【０００４】
そこで下記特許文献１に透明性を確保した寄付を行えるシステムが開示されている。
【先行技術文献】
【特許文献】
【０００５】
【特許文献１】特開２０１０−１１３６５９号公報
【発明の概要】
【発明が解決しようとする課題】
【０００６】
上述の特許文献１では、ユーザがウェブサイトでの商品購入などを通じて蓄積したポイントを第三者に使途を限定して寄付することで、当該第三者が当該ポイントを利用可能とするシステムである。なお、本明細書では、寄付をする者を寄付者、寄付を受け取る者を寄付受領者とする。
【０００７】
特許文献１のシステムを用いることで、寄付者によって寄付されたポイントを、寄付受領者は、寄付者の指定した使途にしか使うことが出来ない。そのため透明性を確保することは出来る。
【０００８】
しかしながら、あくまでも寄付者はポイントを寄付し、寄付受領者はそのポイントを利用しているだけである。そのため、金銭がやりとりされるわけではなく、寄付受領者の自由度が低い。また、特許文献１では、現金で用いることも出来るとしているが、現金の場合の処理は記載されておらず、現金の場合にどのように透明性を確保するのか、その処理が開示されていないため、金銭に特許文献１のシステムをそのまま用いることは出来ない。
【０００９】
従って、特許文献１の場合には寄付をすることが出来るのがポイントに限定されてしまう。そのため、ポイントを所持していないユーザは寄付をすることが出来ない。しかしながら、金銭による寄付であっても透明性を確保することが望まれている。
【００１０】
また、特許文献１の場合では、寄付者となるユーザがすでに蓄積しているポイントを寄付するだけであって、蓄積しているポイント以上の寄付を行うことが出来ない。従って、ポイント以上の寄付を望むことが出来ない。しかしながら、寄付金の額は出来るだけ増やすことが望まれる。
【課題を解決するための手段】
【００１１】
本発明者は上述の課題に鑑み、寄付支援システムを発明した。
【００１２】
第１の発明は、寄付活動を支援する寄付支援システムであって、前記オークションに出品する物品の情報とその寄付先の情報と落札金額に対する寄付金額の配分情報とを少なくとも含むオークション情報を記憶するオークション情報記憶部と、前記オークション情報の登録を、出品者端末から受け付けるオークション登録受付部と、前記オークション情報記憶部に記憶するオークション情報に基づくオークションに対して、ユーザ端末から入札の情報を受け付けることでオークション処理を実行するオークション処理部と、前記オークションにおける出品者の寄付金額と、落札者であるユーザの寄付金額と、一以上の前記寄付先の情報とを少なくとも含む情報を落札情報として記憶する落札情報記憶部と、前記オークション処理部における前記オークションで落札者がいる場合に、前記入札情報に基づいて、前記オークション対する落札金額および落札者となるユーザを決定し、前記オークション情報における落札金額の配分情報に基づいて、前記出品者、落札者であるユーザのそれぞれの寄付金額を算出し、前記出品者の識別情報、前記落札者であるユーザの識別情報、前記出品者の寄付金額、前記落札者であるユーザの寄付金額および前記寄付先の情報とを少なくとも落札情報として、前記落札情報記憶部に記憶させる落札処理部と、前記落札情報の一部または全部を記憶する寄付情報記憶部と、一以上の寄付先となる寄付受領者による前記寄付金の使途の情報と、前記出品者の識別情報および／または落札者の識別情報とを対応づけて記憶する寄付受領者情報記憶部と、寄付受領者端末から前記寄付金の使途の情報の入力を受け付け、前記寄付受領者情報記憶部に記憶させる使途報告受付部と、前記出品者端末または前記ユーザ端末から、前記出品者識別情報および／または落札者識別情報と、使途報告の閲覧要求とを受け付け、前記出品者識別情報または落札者情報に基づいて、前記寄付受領者情報記憶部に記憶する使途情報を検索することで、前記出品者端末またはユーザ端末に対して、前記検索した使途情報を表示させる寄付受領者情報閲覧部と、を有する寄付支援システムである。
【００１３】
本発明のように構成することで、金銭による寄付金の使途の報告を寄付受領者が行い、それを出品者、落札者がそれぞれのコンピュータ端末から閲覧することが可能となる。これによって、金銭による寄付の場合でも透明性を確保することが出来る。そのため、寄付に対する心理的抵抗がなくなり、寄付の増加を望むことが出来る。また、単に蓄積しているポイントや金銭を寄付するのではなく、オークションを用いることで寄付金の最大化を図ることも出来る。
【００１４】
上述の発明において、前記落札処理部は、前記出品者の出品者識別情報および／または落札者の落札者識別情報に基づく追跡情報を生成し、前記生成した追跡情報を前記落札情報に含めて前記落札情報記憶部に記憶させ、前記寄付受領者情報閲覧部は、前記出品者端末または前記ユーザ端末から、前記出品者識別情報および／または落札者識別情報の入力を受け付け、前記出品者識別情報または落札者識別情報に基づいて、前記寄付受領者情報記憶部に記憶する使途情報を検索し、前記検索した使途情報を、前記出品者端末または前記ユーザ端末に表示させる、寄付支援システムのように構成することもできる。
【００１５】
本発明のように、出品者、落札者に対する追跡情報を生成するように構成しても良い。
【００１６】
上述の発明において、前記オークション登録受付部は、前記オークション情報として、さらに、前記落札金額に基づいて付与するポイントの配分情報を前記出品者端末から入力を受け付け、前記落札情報記憶部は、前記オークションに基づく落札金額と前記オークション情報におけるポイントの配分情報とに基づいて、前記出品者に対して付与するポイントと、前記落札者であるユーザに対して付与するポイントを算出し、前記出品者識別情報、落札者識別情報に、前記算出したポイントを付加することで前記出品者追跡情報、落札者追跡情報を生成する、寄付支援システムのように構成することもできる。
【００１７】
本発明のように、寄付金額に対するポイントを付与することで、出品者、落札者それぞれにポイントが付与される。そしてそのポイントを付加した追跡情報とすることで、出品者識別情報、落札者識別情報をユニークに生成することが出来る。
【００１８】
上述の発明において、前記寄付支援システムは、前記オークション処理部におけるオークションの終了後であって、前記オークションの落札者であるユーザ端末からの決済処理の終了後、前記オークション情報における寄付先の情報に基づいて、前記オークションにおける落札金額に基づく前記出品者および落札者のそれぞれの寄付金額の支払い処理を実行し、前記支払い処理の実行後、前記出品者端末に対して、前記出品者の寄付金額相当の電子的な領収書を発行して通知し、前記落札者であるユーザのユーザ端末に対して、前記落札者の寄付金額相当の電子的な領収証を発行して通知する、寄付支援システムのように構成することもできる。
【００１９】
従来でも、オークションによる収益を寄付することは行われている。しかしそれはオークションによる収益を出品者が受領し、それを出品者が寄付する、という形式をとっている。そのため、オークションの落札者自体は、直接的には寄付をすることにはならない。一方で、寄付を行った場合、寄付控除を受けられる。そのため落札者は、寄付控除を受けることが出来なかった。そこで本発明のように構成することで、出品者、落札者の双方が寄付控除を受けることができる。これによって、積極的な入札を期待することができるので、結果的に、寄付金額の増加を見込むことが出来る。
【００２０】
また、本発明のように構成することもできる。すなわち、オークションを用いた寄付支援システムであって、前記寄付支援システムは、前記オークションに出品する物品の情報とその寄付先の情報と落札金額に対する寄付金額の配分情報とを少なくとも含むオークション情報を記憶するオークション情報記憶部と、前記オークション情報の登録を、出品者端末から受け付けるオークション登録受付部と、前記オークション情報記憶部に記憶するオークション情報に基づくオークションに対して、ユーザ端末から入札の情報を受け付けることでオークション処理を実行するオークション処理部と、前記オークション処理部における前記オークションで落札者がいる場合に、前記入札の情報に基づいて、前記オークションに対する落札金額および落札者となるユーザを決定し、前記落札金額と前記落札金額に対する寄付金額の配分情報とに基づいて、前記出品者、落札者であるユーザのそれぞれの寄付金額を算出し、前記出品者端末、前記落札者のユーザ端末に対して通知する落札処理部と、を有しており、前記オークション処理部におけるオークションの終了後であって、前記オークションの落札者であるユーザ端末からの決済処理の終了後、前記オークション情報における寄付先の情報に基づいて、前記オークションにおける落札金額に基づく前記出品者および落札者のそれぞれの寄付金額の支払い処理を実行する、寄付支援システムである。
【００２１】
また、前記寄付支援システムは、さらに、前記支払い処理の実行後、前記出品者端末に対して、前記出品者の寄付金額相当の電子的な領収書を発行して通知し、前記落札者であるユーザのユーザ端末に対して、前記落札者の寄付金額相当の電子的な領収証を発行して通知する、寄付支援システムのように構成することもできる。
【００２２】
本発明のように構成することで、出品者、落札者の双方にメリットがあるオークションを用いた寄付支援システムを構成することができる。そのため、積極的な入札を期待することができるので、結果的に、寄付金額の増加を見込むことが出来る。
【００２３】
さらに、本発明のように構成することもできる。すなわち、寄付金の使途を明確にする寄付支援システムであって、前記寄付支援システムは、寄付金を誰が出資したかの追跡情報を含む寄付情報を記憶する寄付情報記憶部と、寄付金を受領した寄付受領者による前記寄付金の使途の情報と前記追跡情報とを対応づけて記憶する寄付受領者情報記憶部と、寄付受領者端末から前記寄付金に対する使途情報の入力を受け付け、前記寄付受領者情報記憶部に記憶させる使途報告受付部と、前記寄付金の出資者が操作するコンピュータ端末から使途報告の閲覧要求を受け付け、前記寄付情報記憶部に記憶する出資者の情報に基づいて、前記寄付受領者情報記憶部に記憶する使途情報を検索し、前記コンピュータ端末に対して、前記検索した使途情報を表示させる寄付受領者情報閲覧部と、を有する寄付支援システムである。
【００２４】
寄付に対しては透明性の確保が望まれる。そこで本発明のように構成することで、金銭による寄付の場合であっても透明性を確保することが出来る。
【発明の効果】
【００２５】
本発明の寄付支援システムを用いることで、金銭による寄付の場合でも透明性を確保することが出来る。そのため、寄付に対する心理的抵抗がなくなり、寄付の増加を望むことが出来る。また、単に蓄積しているポイントや金銭を寄付するのではなく、オークションを用いることで寄付金の最大化を図ることも出来る。
【図面の簡単な説明】
【００２６】
【図１】本発明の寄付支援システムの全体の概念図である。
【図２】本発明の寄付支援システムのシステム構成の一例を示す概念図である。
【図３】ハードウェア構成の一例の概念図である。
【図４】本発明の寄付支援システムの処理プロセスの一例を示すフローチャートである。
【図５】プレミアム配賦率の概念を模式的に示す図である。
【図６】ポイント配賦率の概念を模式的に示す図である。
【図７】オークション情報記憶部の一例を模式的に示す図である。
【図８】オークションの画面の一例を模式的に示す図である。
【図９】落札情報記憶部の一例を模式的に示す図である。
【図１０】寄付情報記憶部の一例を模式的に示す図である。
【図１１】寄付受領者情報記憶部の一例を模式的に示す図である。
【図１２】寄付金の使途の閲覧画面の一例を模式的に示す図である。
【発明を実施するための形態】
【００２７】
本発明の寄付支援システム１の全体の概念図を図１に、システム構成の一例の概念図を図２に示す。
【００２８】
本発明の寄付支援システム１では、寄付金額の増加を図るために、オークションを用いる。すなわち、寄付を行おうとする者は、本発明の寄付支援システム１におけるオークションに物品を出品する。なおここでは物品と記載したが、物品は有体物に限らず、サービスなどの役務も含まれる。出品された物品に対するオークションが実行され、その落札金額のうちの一部または全部が寄付金となる。これによって、寄付金額の増加が見込める。また、寄付金額のうち出品者が指定した目標金額については、出品者による寄付金、出品者が指定する目標金額と落札金額の間の差額を落札者による寄付金として取り扱う。このようにして寄付金を集めた後、当該寄付金が寄付受領者に渡される。寄付受領者は、当該寄付金の使途について、寄付受領者端末６から入力を行い、その使途を出品者、落札者が確認可能とすることで、寄付に対する透明性の確保に繋がる。
【００２９】
本発明の寄付支援システム１について以下に説明する。
【００３０】
オークション管理サーバ２および寄付管理サーバ３は、プログラムの演算処理を実行するＣＰＵなどの演算装置１０と、情報を記憶するＲＡＭやハードディスクなどの記憶装置１１と、ディスプレイ（画面）などの表示装置１２と、キーボードやポインティングデバイス（マウスやテンキーなど）などの入力装置１３と、演算装置１０の処理結果や記憶装置１１に記憶する情報をインターネットやＬＡＮなどのネットワークを介して送受信する通信装置１４とを有している。コンピュータ上で実現する各機能（各手段）は、その処理を実行する手段（プログラムやモジュールなど）が演算装置１０に読み込まれることでその処理が実行される。各機能は、記憶装置１１に記憶した情報をその処理において使用する場合には、該当する情報を当該記憶装置１１から読み出し、読み出した情報を適宜、演算装置１０における処理に用いる。図３に、オークション管理サーバ２および寄付管理サーバ３のハードウェア構成の一例を模式的に示す。
【００３１】
本発明の寄付支援システム１は、図１および図２では、オークション管理サーバ２および寄付管理サーバ３を有する場合を示したが、これらが一つのサーバで構成されていても良いし、二または三以上のサーバで構成され、その機能が分散配置されていても良い。なおサーバに限らず、コンピュータであればよい。
【００３２】
本発明における各手段は、その機能が論理的に区別されているのみであって、物理上あるいは事実上は同一の領域を為していても良い。
【００３３】
出品者端末４は、物品をオークションに出品し、その落札金額のうちの一部または全部を寄付をする出品者が利用するコンピュータである。なお出品者が利用するとの文言には、オークションの代行を行うものが利用するコンピュータであっても良い。
【００３４】
ユーザ端末５は、出品者が出品した物品のオークションに入札する入札者（ユーザ）が利用するコンピュータである。
【００３５】
寄付受領者端末６は、オークションの落札による寄付金の受領者（受領者には個人のほか、法人、団体などが含まれる）が利用するコンピュータである。
【００３６】
寄付支援システム１は、オークション管理サーバ２と寄付管理サーバ３とを有する。オークション管理サーバ２は、寄付金の元となるオークションの管理をするサーバであり、寄付管理サーバ３は、寄付金に関する情報を管理するサーバである。上述のように、寄付支援システム１はこれら２つのサーバで実現されなくても良く、各機能の配置は適宜、採ることが出来る。
【００３７】
オークション管理サーバ２は、オークション登録受付部２０とオークション情報記憶部２１とオークション処理部２２と落札処理部２３と落札情報記憶部２４とを有する。
【００３８】
オークション登録受付部２０は、オークションに関する情報（オークション情報）の登録を出品者端末４から受け付ける。出品者端末４から受け付けるオークション情報としては、出品者の識別情報（出品者識別情報）、出品物に関する情報（物品名、物品の画像など）、オークションの開始日時と終了日時、少なくとも一以上の寄付先を識別する情報、寄付先に対する思いや入札の呼びかけメッセージ、寄付目標金額、プレミアム配賦率、ポイント配賦率などの情報がある。寄付目標金額とは、出品者が目標とする寄付金の額である。プレミアム配賦率とは、落札金額と寄付目標金額との差額のうち、どの程度の比率を落札者の寄付金として設定するか、を示す情報である。ポイント配賦率は、落札金額と寄付目標金額との差額のうち、どのような割合で落札者にポイントを付与するか、を示す情報である。図５にプレミアム配賦率の概念を示す。また図６にポイント配賦率の概念を示す。なおここでは寄付先としてオークションの出品者が指定する場合を示すが、後述するようにオークションの落札者となったユーザが指定可能としても良い。その場合には、落札段階において、落札者となったユーザのユーザ端末５から上述の寄付先を識別する情報の入力を受け付けても良い。
【００３９】
図５に示すように、プレミアム配賦率は、落札金額と寄付目標金額との差額のうち、どの程度の比率を落札者の寄付金とするかを示す情報である。そのため、プレミアム配賦率が１００％であれば、当該差額のすべてを落札者の寄付金として取扱い、５０％であれば当該差額のうち半額を落札者の寄付金、残りを出品者の寄付金として取扱い、０％であれば当該差額のすべてを出品者の寄付金として取り扱う。
【００４０】
また図６に示すように、ポイント配賦率は、落札金額と寄付目標金額との差額のうち、どの程度の比率を落札者のポイントとするかを示す情報である。そのため、目標金額が７万円、落札金額が１０万円であって、ポイント配賦率が１００％であれば、当該差額３万円分のポイントが落札者に対して付与される。またポイント配賦率が５０％であれば、当該差額３万円のうち１万５千円分のポイントが落札者に対して付与され、残りは出品者のポイントとして付与される。また、ポイント配賦率が０％であれば、当該差額３万円分のポイントが出品者に対して付与される。
【００４１】
プレミアム配賦率とポイント配賦率とは互いに独立していてよい。たとえばプレミアム配賦率が１００％、ポイント配賦率が５０％であってもよい。この場合、たとえば目標金額が７万円、落札金額が１０万円であれば、７万円が出品者の寄付金、３万円が落札者の寄付金として取り扱われ、出品者には８万５千円分のポイントが、落札者には１万５千円分のポイントとして付与される。なお、プレミアム配賦率とポイント配賦率とは一致していても、連動していても良い。また、出品者、落札者に対して付与されるポイントは、１００円あたり１ポイントのように一定比率で付与されても良いし、金額に応じて変更されても良い。
【００４２】
オークション情報記憶部２１は、オークション登録受付部２０で受け付けたオークションに関する情報を記憶する。図７にオークション情報記憶部２１の一例を模式的に示す。
【００４３】
オークション処理部２２は、オークション登録受付部２０で受け付けたオークション情報に基づいて、オークションを実行する。すなわち、オークション情報で定められた開始日時が経過すると、図８に示すようなオークション画面を各ユーザ端末５に表示させ、各ユーザからの入札を受け付ける。オークションで定められた終了日時を経過するまでオークションを実行し、終了日時の時点で落札者がいるかを判定する。なお、オークション処理部２２が、オークション情報記憶部２１に記憶する情報に基づいて、図８に示すようなオークション画面を生成する場合には、プレミアム配賦率、ポイント配賦率など任意のオークション情報を表示しないように構成しても良い。
【００４４】
落札処理部２３は、オークション処理部２２で落札者がいることを判定すると、終了日時の時点における最高値での入札者を落札者であるユーザとして決定し、また、その最高値を落札金額として決定する。また、オークション情報に基づいて、寄付先、出品者分の寄付金、落札者分の寄付金、出品者に付与するポイント、落札者に付与するポイント、とを決定し、出品者および落札者に対して電子メールなどにより通知をする。
【００４５】
落札処理部２３は、出品者、落札者に対して付与されるポイントに基づいて、追跡情報を生成する。追跡情報には、出品者または落札者に対して付与されたポイント数、出品者または落札者の識別情報が付与される。たとえば１００円あたり１ポイントでポイントが付与され、出品者（出品者識別情報「ａａａａａ」）に８万５千円分のポイント（８５０ポイント）、落札者（落札者識別情報「ｚｚｚｚｚ」）に１万５千円分のポイント（１５０ポイント）が付与されたとすると、出品者の追跡情報としては「ａａａａａ８５０」、落札者の追跡情報としては「ｚｚｚｚｚ１５０」が生成される。また、落札処理部２３は、落札情報の一部または全部を、寄付管理サーバ３に渡す。
【００４６】
また、落札処理部２３は、落札に関する情報、たとえばオークション識別情報、出品者識別情報、落札者識別情報、落札金額、出品者追跡情報、落札者追跡情報、寄付先識別情報、プレミアム配賦率、出品者寄付金額、落札者寄付金額、ポイント配賦率、出品者ポイント、落札者ポイントを落札情報記憶部２４に記憶させる。
【００４７】
落札情報記憶部２４は、落札されたオークションに関する情報を記憶する。たとえばオークション識別情報、出品者識別情報、落札者識別情報、落札金額、出品者追跡情報、落札者追跡情報、少なくとも一以上の寄付先識別情報、プレミアム配賦率、出品者寄付金額、落札者寄付金額、ポイント配賦率、出品者ポイント、落札者ポイントなどが記憶される。図９に落札情報記憶部２４の一例を模式的に示す。なおオークションを識別するオークション識別情報は、オークション処理部２２でオークションごとに任意に付与されることが好ましい。
【００４８】
寄付管理サーバ３は、寄付処理部３０と寄付情報記憶部３１と使途報告受付部３２と寄付受領者情報記憶部３３と寄付受領者情報閲覧部３４とを有する。
【００４９】
寄付処理部３０は、オークション管理サーバ２におけるオークションの結果、得られた寄付金について、オークション情報で出品者および／または落札者が指定した寄付先（寄付受領者）に対して送金後、当該寄付金に対応する出品者、落札者の追跡情報、寄付先識別情報、出品者寄付金額、落札者寄付金額などの情報を受け取り、寄付情報記憶部３１に記憶させる。
【００５０】
寄付情報記憶部３１は、寄付処理部３０で受け取った出品者、落札者の追跡情報、寄付先識別情報、出品者寄付金額、落札者寄付金額などの情報を記憶する。図１０に寄付情報記憶部３１の一例を模式的に示す。
【００５１】
使途報告受付部３２は、寄付金を受領した寄付受領者の寄付受領者端末６から、当該寄付金を何に使用したかの情報の入力を受け付け、寄付受領者情報記憶部３３に記憶させる。この際に、使用した証拠である領収書のデータ、寄付金受領者の決算書などのデータの入力を受け付けても良い。また、使途報告受付部３２は、寄付受領者端末６から入力を受け付ける際に、寄付情報記憶部３１に記憶する情報を、当該寄付受領者の識別情報に基づいて検索し、使用した出品者、落札者の寄付金を指定可能としても良い。この指定によって、寄付受領者記憶部における使用使途の情報と、出品者、落札者の寄付金との関連づけが行われる。
【００５２】
寄付受領者情報記憶部３３は、使途報告受付部３２で入力を受け付けた、寄付金の使途に関する情報を記憶する。たとえば寄付先識別情報、使用した寄付金額、使用目的、証拠資料またはその記憶場所へのリンク、寄付金の出資者の追跡情報などを記憶する。なお寄付金の出資者の追跡情報は、使途報告受付部３２において、使途の情報と出品者および／または落札者の寄付金との関連づけによって記憶される。
【００５３】
寄付受領者情報閲覧部３４は、出品者が出品者端末４および／または落札者であるユーザがユーザ端末５から、自らの寄付金がどのように利用されたかの情報を閲覧するために寄付管理サーバ３にアクセスする。寄付受領者情報閲覧部３４は、アクセスを受け付けた出品者および／または落札者の識別情報に基づいて、当該出品者および／または落札者の識別情報を含む追跡情報を寄付受領者情報記憶部３３から検索し、該当する寄付金の使途に関する情報を抽出して、出品者端末４および／または落札者端末に表示させる。これによって、出品者端末４および／または落札者は、自らの寄付金がどのように使用されたのかの情報を閲覧できる。
【００５４】
次に本発明の寄付支援システム１を用いた処理の一例を図４のフローチャートなどを用いて説明する。なお、出願日時点においては、寄付控除を受けられるのは認定ＮＰＯ法人や特定公益増進法人に対する寄付であることから、これら法人が寄付支援システム１の運営者や寄付受領者となることが好ましいが、法令の改正により、寄付控除が受けられる法人や自然人が増えた場合には、それらが運営者や寄付受領者となってもよい。
【００５５】
まず寄付を行おうと思料する者は、本発明の寄付支援システム１に対して、オークションの登録を行う。すなわち、当該者は、金銭ではなく、物品をオークションに出品することで、その売上を寄付することとなる。
【００５６】
当該者は出品者として出品者端末４で所定の操作を行い、オークションの登録を行う画面を表示させる。そして表示された画面に、所定の情報、たとえば、出品者識別情報、出品する物品名、その画像、オークションの開始日時と終了日時、寄付先識別情報、寄付先に対する思いや入札の呼びかけメッセージ、寄付目標金額、プレミアム配賦率、ポイント配賦率などの情報を入力し、それらの情報をオークション登録受付部２０で受け付ける（Ｓ１００）。オークション登録受付部２０では、出品者端末４から受け付けた情報をオークション情報記憶部２１に記憶させる。この際に、当該オークションを一意に識別するオークション識別情報が自動的に割り当てられても良い。
【００５７】
たとえば、出品者識別情報として「ａａａａａ」、物品名として「鞄」、寄付先識別情報として「Ａ団体」、寄付目標金額として「７万円」、プレミアム配賦率として「１００％」、ポイント配賦率として「５０％」、オークション開始日時として「２０１１年４月１日１２時００分」、終了日時として「２０１１年４月８日１２時００分」、のオークション情報の入力を受け付けてオークション情報の設定が行われ（Ｓ１１０）、それらがオークション情報記憶部２１に記憶される。
【００５８】
そしてオークション処理部２２は、オークション情報記憶部２１におけるオークション開始日時を監視し、オークション開始日時である「２０１１年４月１日１２時００分」が到来すると、オークションを開始する。
【００５９】
このようにしてオークションが開始すると、オークション終了日時が到来するまで（Ｓ１２０）、入札を受け付ける（Ｓ１３０）。すなわち、当該オークションに対して入札を行うことを希望するユーザは、そのユーザ端末５で所定の操作をすることで、図８に示すような画面から入札金額を入力し、それをオークション処理部２２で受け付ける。
【００６０】
以上のようにオークションをオークション情報記憶部２１におけるオークション終了日時が到来するまで実行し、オークション処理部２２で監視しているオークション終了日時「２０１１年４月８日１２時００分」が到来すると、オークション処理部２２は当該オークションにおける落札者がいるかを判定する（Ｓ１４０）。
【００６１】
落札者がいない場合には、オークション不成立として、所定のメッセージを電子メールなどにより出品者に通知をする（Ｓ１５０）。
【００６２】
Ｓ１４０において落札者となるユーザがいた場合、落札処理部２３は、オークション終了日時における最高値を落札金額、その入札者であるユーザを落札者として決定する（Ｓ１６０）。また落札処理部２３は、オークション情報記憶部２１に記憶した当該オークション情報に基づいて、寄付先、出品者分の寄付金、落札者分の寄付金、出品者に付与するポイント、落札者に付与するポイント、とを決定する（Ｓ１６０）。
【００６３】
ここで、オークション情報が図７であって、出品者が「ａａａａａ」、落札者が「ｚｚｚｚｚ」、落札金額が１０万円であったとすると、落札処理部２３は、寄付金額を「１０万円」、出品者「ａａａａａ」の寄付金額を「７万円」、落札者「ｚｚｚｚｚ」の寄付金額を「３万円」、出品者「ａａａａａ」に対する付与ポイントを「８５０ポイント」、落札者「ｚｚｚｚｚ」に対する付与ポイントを「１５０ポイント」として決定する。このようにして決定した各情報を、出品者および落札者に対して電子メールなどにより通知する（Ｓ１７０）。
【００６４】
また落札処理部２３は、Ｓ１６０で決定した出品者および／または落札者に対して付与したポイントに基づいて、追跡情報を生成する。上述の場合、出品者追跡情報として「ａａａａａ８５０」、落札者追跡情報として「ｚｚｚｚｚ１５０」を生成する。
【００６５】
さらに落札処理部２３は、オークション識別情報「１１１１１」、出品者識別情報「ａａａａａ」、落札者識別情報「ｚｚｚｚｚ」、落札金額「１０万円」、出品者追跡情報「ａａａａａ８５０」、落札者追跡情報「ｚｚｚｚｚ１５０」、寄付先識別情報「Ａ団体」、プレミアム配賦率「１００％」、出品者寄付金額「７万円」、落札者寄付金額「３万円」、ポイント配賦率「５０％」、出品者ポイント「８５０」、落札者ポイント「１５０」を落札情報記憶部２４に記憶させる。
【００６６】
落札処理後、所定のタイミングで、落札者による落札金額に対する決済処理が行われる。この決済処理は、たとえばクレジットカードで行われたり、銀行振込で行われてもよい。また落札金額は、寄付支援システム１の運営者に対して支払われることが良い。また、オークションの結果、落札者となるユーザに対しては、通常のオークションと同様に、出品者から落札者に対して当該出品した物品が送付される。
【００６７】
落札金額を受領した寄付支援システム１の運営者は、落札金額の受領後、所定のタイミングで、当該オークション情報で指定された寄付先に対して寄付金を引き渡す（Ｓ１８０）。これは銀行送金などで行われても良い。あるいは、エレクトロニックバンキングの機能を起動させ、当該寄付先の銀行口座に対して、自動的に振込処理を実行しても良い。
【００６８】
このように寄付金が寄付受領者で受領された後、寄付処理部３０は、オークション管理サーバ２から、当該寄付金に対応する出品者、落札者の追跡情報、寄付先識別情報、出品者寄付金額、落札者寄付金額などの情報を受け取り、寄付情報記憶部３１に記憶させる。これによって、寄付受領者は、受領した寄付金の詳細を把握することが出来る。
【００６９】
また寄付金の受領後、寄付支援システム１の運営者または寄付金受領者は、出品者、落札者に対して、それぞれの寄付金額に応じた領収書を発行する。この領収書を受領することで出品者、落札者は、寄付金控除を受けることが出来る。
【００７０】
なお、この領収書の発行は電子的に行われても良い。すなわち出品者、落札者、それぞれの寄付金額が特定できることから、領収書発行処理部（図示せず）が、落札情報処理部または寄付情報記憶部３１に記憶した情報に基づいて、電子的な領収書を発行し、出品者、落札者に対して電子メールなどにより通知する。
【００７１】
寄付金を受領した寄付受領者は、受領した寄付金を使用した場合、寄付受領者識別情報の入力をした上で、寄付受領者端末６で所定の操作を行うことで、当該寄付金を何にいくら使用したかの情報の入力を行い、その入力を使途報告受付部３２で受け付けて（Ｓ１９０）、寄付受領者情報記憶部３３に記憶させる。たとえば寄付受領者が「Ａ団体」の場合、寄付受領者識別情報として「Ａ団体」、使用寄付金額「２０万円」、使用目的「医薬品購入」、医薬品購入時の領収書の画像データ、２０万円の寄付者の追跡情報「ａａａａａ８５０」「ｚｚｚｚｚ１５０」「ｃｃｃｃｃ１０００」などを入力する。
【００７２】
ここで、寄付者の追跡情報の入力は、寄付受領者が記憶していなければならないので、それを補助するため、寄付金の使途を入力する際に、当該寄付受領者の識別情報に基づいて、寄付情報記憶部３１を検索し、当該寄付受領者に対する寄付を行った者を参照させ、選択させると良い。たとえば寄付受領者識別情報として「Ａ団体」とすると、「Ａ団体」に基づいて寄付情報記憶部３１を検索するので、ＩＤ「１１１１１」の寄付に関する情報が検索される。そこで「出品者追跡情報」、「落札者追跡情報」、「出品者寄付金額」、「落札者寄付金額」を抽出して、使途報告受付部３２が寄付受領者端末６に選択可能に表示させる。そして寄付受領者端末６から選択を受け付けることで、寄付を行った者と使途との関連づけを行い、寄付受領者情報記憶部３３に記憶させる。
【００７３】
また出品者や落札者が自らの寄付金がどのように利用されたのかの情報を閲覧した場合には、出品者端末４および／または落札者であるユーザのユーザ端末５から寄付管理サーバ３にアクセスし、出品者識別情報、落札者識別情報を入力する。出品者識別情報、落札者識別情報を受け付けた寄付受領者情報閲覧部３４は、入力を受け付けた出品者識別情報、落札者識別情報に基づいて、当該出品者識別情報および／または落札者識別情報を含む追跡情報を寄付受領者情報記憶部３３から検索し、該当する寄付金の使途に関する情報を抽出して、出品者端末４および／または落札者端末に表示させる（Ｓ２００）。たとえば出品者「ａａａａａ」が行った場合には、図１２に示すような画面が表示され、出品者「ａａａａａ」は、この画面を閲覧することで、自らの寄付金がどのように使用されたのかの情報を把握できる。
【００７４】
以上のような寄付支援システム１とすることで、金銭で寄付を行う場合であっても、寄付の透明性を確保することが出来る。また、金銭で直接寄付を受け付けるのではなく、物品をオークションに出品してもらい、その売上が寄付金として処理されるので、寄付金の増加を図ることも出来る。
【００７５】
また、上述において、落札処理部２３が出品者、落札者に対して付与するポイントについて、寄付ポイントとしてそれぞれ加算をしていっても良い。この場合、寄付ポイントが加算されることで、その人が行った通算の寄付に対する貢献を図るバロメータとすることができる。このポイントの付与率や付与方法は、適宜選択されても良い。
【００７６】
さらに、寄付支援システム１の運営者が通常のポイントシステムの運営者の場合、落札処理部２３で付与するポイントに応じて、対価性のあるポイントをさらに割り当てても良い。また落札処理部２３で付与するポイント自体が対価性のあるポイントであっても良い。対価性のあるポイントとは、物品やサービスの購入の際に通貨の代替として利用できるポイントである。
【産業上の利用可能性】
【００７７】
本発明の寄付支援システム１を用いることで、金銭による寄付の場合でも透明性を確保することが出来る。そのため、寄付に対する心理的抵抗がなくなり、寄付の増加を望むことが出来る。また、単に蓄積しているポイントや金銭を寄付するのではなく、オークションを用いることで寄付金の最大化を図ることも出来る。
【符号の説明】
【００７８】
１：寄付支援システム
２：オークション管理サーバ
３：寄付管理サーバ
４：出品者端末
５：ユーザ端末
６：寄付受領者端末
１０：演算装置
１１：記憶装置
１２：表示装置
１３：入力装置
１４：通信装置
２０：オークション登録受付部
２１：オークション情報記憶部
２２：オークション処理部
２３：落札処理部
２４：落札情報記憶部
３０：寄付処理部
３１：寄付情報記憶部
３２：使途報告受付部
３３：寄付受領者情報記憶部
３４：寄付受領者情報閲覧部
【図１】
2012238052.tif 000003
【図２】
2012238052.tif 000004
【図３】
2012238052.tif 000005
【図４】
2012238052.tif 000006
【図５】
2012238052.tif 000007
【図６】
2012238052.tif 000008
【図７】
2012238052.tif 000009
【図８】
2012238052.tif 000010
【図９】
2012238052.tif 000011
【図１０】
2012238052.tif 000012
【図１１】
2012238052.tif 000013
【図１２】
2012238052.tif 000014